(57)【要約】      （修正有）【課題】ホームセンターなどで市販されている２×４材を切断して必要とする高さ・長さの棚・椅子などの家具を製作できる組立部材を提供する。【解決手段】家具等の平面部の構成は、本考案の横長基材１の上面の隔壁２,２間に、予め所定の長さに切断された２×４材Ｐを掛け渡した状態にして、前記横長基材１の下面側から止めネジをネジ孔３に通して２×４材Ｐが本考案の横長基材１に固定されて平面部が形成される。また、柱部の構成は、前記それぞれの貫通孔に２×４材Ｐを貫通し、前記逆Ｕ字状の切欠き部５に止めネジを適合させ、さらに前記貫通孔のそれぞれ外端面に形成されたネジ孔６に外側から止めネジを通して前記２×４材Ｐが固定される。同様にして、順次、二段、三段の平面部を構成することもできる。【選択図】図３
0003186336.tif 000002
【実用新案登録請求の範囲】
【請求項１】
横長基材の上面には２×４材の幅間隔をあけて複数の隔壁が形成され、該隔壁間の両側には前記２×４材の固定用のネジ孔が下面に貫通してそれぞれ設けられ、両端の隔壁間の前記ネジ孔間には前記２×４材の貫通孔が形成され、前記横長基材の前記貫通孔の下端両側には逆Ｕ字状の切欠き部が形成され、さらに前記２×４材の貫通孔のそれぞれ外端面にネジ孔が形成されてなることを特徴とする家具等の組立部材。
【請求項２】
前記隔壁の内側面及び前記貫通孔の内周面にガイドリブを形成したことを特徴とする請求項１に記載の家具等の組立部材。
【請求項３】
前記横長基材の上面及び下面に補強リブを形成したことを特徴とする請求項１又は２に記載の家具等の組立部材。
【考案の詳細な説明】
【技術分野】
【０００１】
本考案は、一般の人が必要とする高さ・長さの棚・椅子などを容易に製作できる家具等の組立部材に関する。詳しくは、２×４材を使用して必要とする高さ・長さの棚・椅子などを容易に製作することができる家具等の組立部材に関する。
【背景技術】
【０００２】
従来、一般の人が趣味と実益を兼ねて日曜大工として棚・椅子などの家具等を製作することが行われている。これら棚・椅子などの家具等の製作には、のこぎり、電動工具、かなづち、くぎ、ネジ、メジャー、その他の道具が必要であり、特に部材寸法の適合などに比較的高度な技術を必要とする。
【０００３】
従来、２×４材を容易に組み合わせ、接合してテーブルなどを作る工作物用木製構成部材が提案されている（実用新案登録第３０９１８８０号）。この工作物用木製構成部材は、２×４材を、８９ｍｍを基準とした長さに切断した木材のため、組み合わせが容易になり、木材にダボ穴を開けたことでダボを打ち込むことで木材と木材の接合ができるようにしたものである。
【０００４】
前記の考案は、ほとんど道具を使用することなくテーブルなどの工作物を容易に製作することができるとされている。
【先行技術文献】
【特許文献】
【０００５】
【特許文献１】実用新案登録第３０９１８８０号公報
【考案の概要】
【考案が解決しようとする課題】
【０００６】
本考案は、ホームセンターなどで市販されている２×４材（小口寸法：３８ｍｍ×８９ｍｍ）を必要とする長さに切断すること、該２×４材を本考案の組立部材に適合させること、及び両部材を止めネジにより固定することにより、必要とする高さ・長さの棚・椅子などを容易に製作できる家具等の組立部材を提供することを目的とする。
【課題を解決するための手段】
【０００７】
前記課題を解決するため、本考案に係る組立部材は、横長基材の上面には２×４材の幅間隔をあけて複数の隔壁が形成され、該隔壁間の両側には前記２×４材固定用のネジ孔が下面に貫通してそれぞれ設けられ、両端の隔壁間の前記ネジ孔間には前記２×４材の貫通孔が形成され、前記横長基材の前記貫通孔の下端両側には逆Ｕ字状の切欠き部が形成され、さらに前記貫通孔のそれぞれ外端面に柱部固定用のネジ孔が形成されてなることを特徴とする（請求項１）。
【０００８】
前記構成の本考案の組立部材は、合成樹脂のインジェクション成形により一体成形され、必要とする高さ・長さの棚・椅子などの家具の製作に利用される。
【０００９】
一般に、棚・椅子などの家具は、平面部及び柱部で構成されている。そこで、本考案では、まず、前記平面部及び柱部の構成に必要とされる長さに２×４材を切断して用意する。
【００１０】
そして、前記平面部の構成は、前記横長基材の上面の隔壁間に２×４材を適合させた後、前記横長基材の前記隔壁間のネジ孔に下面から止めネジを通して前記２×４材が固定される。
【００１１】
また、前記平面部の高さの構成は、前記横長基材両端の隔壁間のネジ孔間に形成された前記貫通孔に２×４材を貫通させて、前記逆Ｕ字状の切欠き部に止めネジを適合させ、また、前記貫通孔のそれぞれ外端面に形成された前記ネジ孔に外側から止めネジを通して前記柱部が固定される。
【００１２】
すなわち、本考案によれば、２×４材を必要とする長さに切断すること、該２×４材を本考案の組立部材に適合させること、及び両部材を止めネジにより固定することにより必要とする高さ・長さの棚・椅子などの家具を容易に製作することができる。
【００１３】
本考案の実施の一形態は、前記隔壁の内側面及び前記貫通孔の内周面にガイドリブを形成したことを特徴とする（請求項２）。
【００１４】
この実施の一形態によれば、前記隔壁間及び前記貫通孔への２×４材の嵌挿を容易に行うことができる。すなわち、予め２×４材が適合する複数のガイドリブを前記隔壁の内側面及び前記貫通孔の内周面に形成しておくことにより２×４材の嵌挿をスムースに行うとともに嵌挿後の緊密性を保つことができる。
【００１５】
本考案の実施の一形態は、前記横長基材の上面及び下面に補強リブを設けたことを特徴とする（請求項３）。この実施の一形態によれば、組立部材の強度が向上し、製作された家具の使用時における荷重等に対する耐久性が向上する。
【考案の効果】
【００１６】
本考案によれば、ホームセンターなどで市販されている２×４材を必要とする長さに切断こと、該２×４材を本考案の組立部材に適合させること、及び両部材を止めネジにより固定することにより必要とする高さ・長さの棚・椅子などの家具を容易に製作することができる。すなわち、のこぎり、ネジ・ドライバーなどの最小限の道具によって必要とする高さ・長さの棚・椅子などの家具を容易に製作することができる効果を得ることができる。
【図面の簡単な説明】
【００１７】
【図１】本考案の実施の一形態に係る家具等の組立部材の上面斜視図である。
【図２】本考案の実施の一形態に係る家具等の組立部材の底面斜視図である。
【図３】本考案の実施の一形態に係る家具等の組立部材の使用状態を示す一部組立斜視図である。
【考案を実施するための形態】
【００１８】
以下に、添付図面を参照して、本考案を実施するための最良の形態について説明する。
【００１９】
横長基材１の上面には２×４材Ｐの幅間隔Ｗをあけて複数の隔壁２が形成される。該隔壁２の高さは２×４材Ｐの厚さの３８ｍｍ以下とされる。前記隔壁２間の両側には前記２×４材Ｐの固定用のネジ孔３が下面に貫通してそれぞれ設けられる。
【００２０】
つぎに、両端の隔壁２間の前記ネジ孔３間には、前記２×４材Ｐの貫通孔４がそれぞれ形成される。同時に、前記横長基材１の前記貫通孔４の下端両側には逆Ｕ字状の切欠き部５及び前記貫通孔４のそれぞれ外端面にネジ孔６が形成される。
【００２１】
図中、７は前記隔壁２のそれぞれ内側面に形成されたガイドリブ、８は前記貫通孔４,４の内周面に形成されたガイドリブである。
【００２２】
また、図中、９は、横長基材１の上面部の前記ネジ孔３の周囲に形成された補強リブ、１０は横長基材１の下面部の両側に形成された補強リブである。
【００２３】
図３は本考案の横長基材１を利用して製作された家具の一例である。すなわち、家具等の平面部の構成は、本考案の横長基材１の上面の隔壁２,２間に、予め所定の長さに切断された２×４材Ｐを掛け渡した状態にして、前記横長基材１の下面側から止めネジ（図示せず）をネジ孔３に通して２×４材Ｐが本考案の横長基材１に固定されて平面部が形成される。
【００２４】
また、柱部の構成は、前記それぞれの貫通孔４に２×４材Ｐを貫通し、前記逆Ｕ字状の切欠き部５に止めネジを適合させ、さらに前記貫通孔４のそれぞれ外端面に形成されたネジ孔６に外側から止めネジを通して前記２×４材Ｐが固定される。同様にして、順次、二段、三段の平面部を構成することもできる。
【符号の説明】
【００２５】
１  横長基材
２  隔壁
３  ネジ孔
４  貫通孔
５  逆Ｕ字状の切欠き部
６  ネジ孔
７  ガイドリブ
８  ガイドリブ
９  補強リブ
１０  補強リブ
【図１】
0003186336.tif 000003
【図２】
0003186336.tif 000004
【図３】
0003186336.tif 000005